(57)【要約】      （修正有）【課題】本棚等に、複数のうちわを容易に保管することができるうちわ収納ファイルを提供する。【解決手段】うちわ収納ファイル１は、表表紙１０、裏表紙２０、背表紙３０、及び背表紙の内側に固定される袋状に形成された少なくとも１つの収納部４０を備える。収納部は、上側の縁部４１が開口し、表紙内側の縁部４３、表紙外側の縁部４４、及び下側の縁部４２が閉じられており、下側の縁部に収納部の内部と連通する連通孔４５が形成されている。上側の縁部から下側の縁部までの長さはうちわの本体に対応する長さに形成されている。背表紙では、収納部が固定される固定部３１の長さはうちわの本体に対応する長さに形成されており、収納部が固定されない非固定部３２の長さはうちわの柄に対応する長さに形成されている。【選択図】図２
0003216955.tif 000002
【実用新案登録請求の範囲】
【請求項１】
表表紙（１０）、裏表紙（２０）、背表紙（３０）、及び前記背表紙の内側（３５）に固定される袋状に形成された少なくとも１つの収納部（４０）を備えるうちわ収納ファイル（１）であって、
前記収納部は、前記背表紙における長手方向の一方を上側とし他方を下側とし、前記背表紙側を表紙内側とし前記背表紙側と対向する側を表紙外側として、前記上側の縁部（４１）が開口し、前記表紙内側の縁部（４３）、前記表紙外側の縁部（４４）、及び前記下側の縁部（４２）が閉じられており、前記下側の縁部に前記収納部の内部と連通する連通孔（４５）が形成され、前記上側の縁部から前記下側の縁部までの長さはうちわの本体に対応する長さに形成されており、
前記背表紙は、前記収納部が固定される固定部（３１）と、前記収納部が固定されない非固定部（３２）とを有し、
前記固定部の長さは前記うちわの本体に対応する長さに形成されており、前記非固定部の長さは前記うちわの柄に対応する長さに形成されている
うちわ収納ファイル。
【請求項２】
請求項１に記載のうちわ収納ファイルであって、
前記非固定部の長さは、１３．５ｃｍ以上である
うちわ収納ファイル。
【請求項３】
請求項１又は請求項２に記載のうちわ収納ファイルであって、
前記上側の縁部から前記下側の縁部までの長さは、３８．５ｃｍ以上であり、前記表紙内側の縁部から前記表紙外側の縁部までの長さは、２９．５ｃｍ以上である
うちわ収納ファイル。
【請求項４】
請求項１から請求項３のいずれか一項に記載のうちわ収納ファイルであって、
１つの前記収納部を備える
うちわ収納ファイル。
【請求項５】
請求項１から請求項３のいずれか一項に記載のうちわ収納ファイルであって、
複数の前記収納部を備える
うちわ収納ファイル。
【請求項６】
請求項１から請求項５のいずれか一項に記載のうちわ収納ファイルであって、
前記収納部は、ポリプロピレン製のフィルムシートによって袋状に形成されている
うちわ収納ファイル。
【請求項７】
請求項１から請求項６のいずれか一項に記載のうちわ収納ファイルであって、
前記表表紙、前記裏表紙、及び前記背表紙は、不透明な材料によって形成されている
うちわ収納ファイル。
【請求項８】
請求項１から請求項７のいずれか一項に記載のうちわ収納ファイルであって、
前記収納部は、前記背表紙に溶着固定されている
うちわ収納ファイル。
【考案の詳細な説明】
【技術分野】
【０００１】
本開示は、うちわを収納するための、うちわ収納ファイルに関する。
【背景技術】
【０００２】
例えば、下記特許文献１には、うちわのような平坦な平坦部材を収納する収納具であって、袋状の本体において、一端側が開放され、一端側と対向する他端側に孔が形成されている収納具、が提案されている。
【先行技術文献】
【特許文献】
【０００３】
【特許文献１】実用新案登録第３２０９０８１号公報
【考案の概要】
【考案が解決しようとする課題】
【０００４】
上述の特許文献１に記載の収納具では、うちわの柄を孔に先に通してから、うちわ本体を袋状の本体に収納する。また、複数の収納具には連結孔が形成されており、連結孔にリングを通すことによって、うちわが収納された複数の収納具を冊子状に束ねることができる。
【０００５】
例えばコンサート等のイベントで販売されているうちわの表面にはイベントに出演する出演者やキャラクター等が描かれていることがあり、うちわの表面を傷つけることなく、複数のうちわを保管したいという要望がある。しかしながら、上述の特許文献１に記載の例では、冊子状に束ねられた複数の収納具それぞれにおいて該収納具からうちわの柄が突出するので、例えば本棚等において、これら複数の収納具を用いて複数のうちわを保管することは困難であった。
【０００６】
本開示の１つの局面は、本棚等において、複数のうちわを容易に保管するための技術を提供することにある。
【課題を解決するための手段】
【０００７】
本開示の一態様によるうちわ収納ファイル（１）は、表表紙（１０）、裏表紙（２０）、背表紙（３０）、及び背表紙の内側に固定される袋状に形成された少なくとも１つの収納部（４０）を備える。収納部は、背表紙における長手方向の一方を上側とし他方を下側とし、背表紙側を表紙内側とし背表紙側と対向する側を表紙外側として、上側の縁部（４１）が開口し、表紙内側の縁部（４３）、表紙外側の縁部（４４）、及び下側の縁部（４２）が閉じられており、下側の縁部に収納部の内部と連通する連通孔（４５）が形成されている。上側の縁部から下側の縁部までの長さはうちわの本体に対応する長さに形成されている。
【０００８】
背表紙は、収納部が固定される固定部（３１）と、収納部が固定されない非固定部（３２）とを有する。固定部の長さはうちわの本体に対応する長さに形成されており、非固定部の長さはうちわの柄に対応する長さに形成されている。
【０００９】
このような構成によれば、背表紙は、うちわの本体に対応する長さに形成された溶着部と、うちわの柄に対応する長さに形成された非溶着部とを備えるので、当該うちわ収納ファイル内にうちわの柄が収納される。つまり、うちわの柄が当該うちわ収納ファイルの外に出ないので、本棚等において、例えば該うちわ収納ファイルを立てかけて、複数のうちわを容易に保管することができる。
【００１０】
なお、この欄及び実用新案登録請求の範囲に記載した括弧内の符号は、一つの態様として後述する実施形態に記載の具体的手段との対応関係を示すものであって、本開示の技術的範囲を限定するものではない。
【図面の簡単な説明】
【００１１】
【図１】うちわ収納ファイルを閉じたときの斜視図。
【図２】うちわ収納ファイルの斜視図であって、その中央部分を見開いた状態を示す図。
【図３】うちわ収納ファイルにうちわを収納した状態を示す斜視図。
【考案を実施するための形態】
【００１２】
以下、図面を参照しながら、本開示の実施形態を説明する。
［１．構成］
うちわ収納ファイル１は、うちわを収納するためのファイルである。後述する図３に示すように、うちわ７は、うちわ本体７１と、うちわの柄７２とを備える。
【００１３】
図１に示すように、うちわ収納ファイル１は、表表紙１０と、裏表紙２０と、背表紙３０とを備える。背表紙３０は、長手方向において、表表紙１０と裏表紙２０とを連結する。つまり、背表紙３０は、長手方向における端部のうち、一方が表表紙１０に連結され他方が裏表紙３０に連結されている。表表紙１０、裏表紙２０、及び背表紙３０の素材としては、適当な硬度を備える、溶着可能なプラスチックシートが用いられる。本実施形態では、不透明なプラスチックシートが表表紙１０、裏表紙２０、及び背表紙３０の素材として用いられる。
【００１４】
更に、うちわ収納ファイル１は、背表紙３０の内側３５に、図２に示すように、複数のポケット部４０を備える。
具体的には、うちわ収納ファイル１は、うちわ収納ファイル１においてその中央部分を見開いた状態で、該うちわ収納ファイル１の内側に、複数のポケット体４が積層されている。うちわ収納ファイル１では、複数の積層されたポケット体４の中央部を左右が等分されるように背表紙３０に溶着固定することによって、ポケット部４０が形成されている。
【００１５】
ポケット体４は、溶着可能な、透明の、プラスチックフィルムシートを材料として、横長の袋状に形成されている。本実施形態では、ポケット体４の素材は、強度及び透明性の点から、ポリプロピレン製フィルムシートが用いられる。ここで「透明」とは、厳密な意味での透明に限るものではなく、同様の効果を奏するのであれば厳密に透明でなくてもよい。例えば、色がついて透明度のあるものも、「透明」に含まれ得る。
【００１６】
本実施形態では、背表紙３０に複数のポケット体４を溶着固定する溶着固定部５０は、溶着固定部５０ａ及び５０ｂというように、２カ所設けられている。溶着固定部５０ａ及び５０ｂの間隔は、背表紙３０とほぼ同幅に設けられている。複数のポケット体４は、溶着固定部５０を挟んで、左側のポケット部４０(４０ａ)と、右側のポケット部４０(４０ｂ)と、に分けられている。
【００１７】
なお、本実施形態では、５つのポケット体４が積層されており、５つのポケット体４は、５つの左側のポケット部４０(４０ａ)と、５つの右側のポケット部４０(４０ｂ)と、に分けられている。但し、積層されるポケット体４の数はこれに限定されるものではなく、任意の１以上の整数であってよい。
【００１８】
このように、本実施形態のポケット部４０は、透明のポリプロピレン製フィルムシートによって袋状に形成されており、背表紙３０の内側３５に背表紙３０の長手方向に沿って溶着されている。
【００１９】
ここで、ポケット部４０において、背表紙３０の長手方向に沿う方向の一方を上側といい、他方を下側といい、ポケット部４０において、背表紙３０の側を表紙内側といい、背表紙３０と対向する側を表紙外側というものとする。つまり、ポケット部４０は、上側の縁部（以下、上側縁部）４１が開口し、表紙内側の縁部（以下、内側縁部）４３、表紙外側の縁部（以下、外側縁部）４４、及び下側の縁部（以下、下側縁部）４２が閉じられるように形成されている。
【００２０】
そして、ポケット部４０は、下側縁部４２に、ポケット部４０の内部と連通する連通孔４５が形成されている。連通孔４５は、うちわの柄７２が通る程度の大きさに形成されている。本実施形態では、連通孔４５は、図２に示すように、ポケット部４０の下側縁部４２であって下側縁部４２の中央付近に、長方形の切り欠きを設けるようにして形成されている。
【００２１】
また、ポケット部４０は、上側縁部４１から下側縁部４２までの長さ（以下、縦幅）Ｈが、うちわ本体７１に対応する長さに形成されている。特に本実施形態では、ポケット部４０は、大判のうちわ７を収納可能に形成されている。具体的には、大判のうちわ７とは、例えば、うちわ本体７１の横幅が約２９．５ｃｍ、うちわ本体７１及びうちわの柄７２を含めた長さが約４２ｃｍで、うちわの柄７２の長さが約１３．５ｃｍであるものをいう。つまり、ポケット部４０は、うちわ７を収納する部分において、内側縁部４３から外側縁部４４までの長さ（以下、横幅）Ｗが少なくとも２９．５ｃｍであり、縦幅Ｈが少なくとも２８．５ｃｍであるように形成されている。
【００２２】
背表紙３０は、ポケット部４０が溶着される固定部３１と、ポケット部４０が固定されない非固定部３２とを有する。そして、固定部３１の長さは、うちわ本体７１に対応する長さに形成されている。また、非固定部３２の長さは、うちわの柄７２に対応する長さに形成されている。つまり、本実施形態では、大判のうちわ７に対応するように、固定部３１の長さは少なくとも２８．５ｃｍであり、非固定部３２の長さは少なくとも１３．５ｃｍである。
【００２３】
［２．使用例］
本実施形態のうちわ収納ファイル１の使用例について説明する。ユーザは、図３に示すように、うちわ収納ファイル１を開いて、上側縁部４１の開口からうちわ７をポケット部４０内に入れ、うちわの柄７２を連通孔４５からポケット部４０の外に出す。これにより、うちわ本体７１のみがポケット部４０内に収容され、うちわの柄７２はポケット部４０の連通孔４５から突出するようにして、うちわ７がポケット部４０に収納される。
【００２４】
ここで、非固着部３２がうちわの柄７２以上の長さに形成されているので、うちわの柄７２がうちわ収納ファイル１外へ突出することがない。つまり、うちわ収納ファイル１を立てかけたときに、うちわの柄７２がうちわ収納ファイル１外へ突出することがない。
【００２５】
なお、１つのうちわ７を、１つのポケット部４０に収納してもよいし、例えば外表となるように２つのうちわ７を重ね合わせて、重ね合わせた２つのうちわ７を外表となるように１つのポケット部４０に収納してもよい。
【００２６】
［３．効果］
以上詳述した実施形態によれば、以下の効果を奏する。
（３ａ）うちわ収納ファイル１は、表表紙１０、裏表紙２０、背表紙３０、及び背表紙の内側３５に固定される袋状に形成された複数のポケット部４０を備える。ポケット部４０は、上側縁部４１が開口し、内側縁部４３、外側縁部４４、及び下側縁部４２が閉じられており、下側縁部４２にポケット部４０の内部と連通する連通孔４５が形成されている。上側縁部４１から下側縁部４２までの長さは、うちわの本体７１に対応する長さに形成されている。
【００２７】
背表紙３０は、ポケット部４０が固定される固定部３１と、ポケット部４０が固定されない非固定部３２とを有する。固定部３１の長さはうちわの本体７１に対応する長さに形成されており、非固定部３２の長さはうちわの柄７２に対応する長さに形成されている。
【００２８】
その結果、背表紙３０は上述の固定部３１と上述の非固定部３２とを備えるので、うちわの柄７２が当該うちわ収納ファイル１から突出すること無く、うちわ収納ファイル１内にうちわ７が収納される。つまり、うちわの柄７２がうちわ収納ファイル１外に出ないので、当該うちわ収納ファイル１を立てかける等して、本棚等に、複数のうちわ７を容易に保管することができる。また、うちわの柄７２がうちわ収納ファイル１から突出することが無いので、うちわの柄７２が損傷することを抑制することができる。
【００２９】
（３ｂ）非固定部３２の長さは、１３．５ｃｍ以上である。その結果、うちわ収納ファイル１において大判のうちわ７を収納する際に、うちわの柄７２がうちわ収納ファイル１外に突出することが抑制される。
【００３０】
その結果、当該うちわ収納ファイル１を立てかける等して、本棚等に、複数のうちわ７を容易に保管することができる。また、大判のうちわ７よりも小さいサイズのうちわを収納する際にも、うちわ収納ファイル１においてうちわの柄が突出することが抑制されるので、本棚等において、うちわ収納ファイル１を用いて複数のうちわを容易に保管することができる。
【００３１】
（３ｃ）ポケット部４０において、上側縁部４１から下側縁部４２までの長さとしての縦幅は、３８．５ｃｍ以上であり、外側縁部４４から内側縁部４３までの長さとしての横幅は２９．５ｃｍ以上である。その結果、ポケット部４０内に、大判のうちわ７のうちわ本体７１を収納することができる。また、ポケット部４０内に、大判のうちわ７よりも小さいサイズのうちわにおけるうちわ本体を収納することができる。
【００３２】
（３ｄ）うちわ収納ファイル１は、複数のポケット部４０を備える。その結果、当該うちわ収納ファイル１に複数のうちわ７を収納することができる。
（３ｅ）ポケット部４０は、透明の、ポリプロピレン製のフィルムシートによって袋状に形成されている。その結果、ユーザは、うちわ収納ファイル１を開いた際に、うちわ７の表面を容易に確認することができる。
【００３３】
（３ｆ）ポケット部４０は、背表紙３０の内側３５に、背表紙の長手方向に沿って、溶着固定されている。その結果、仮にポケット部４０を粘着により固定する比較例と比較すると、該比較例よりも背表紙３０にポケット部４０を強固に固定することができる。なお、本実施形態では、固定部３１の長さは、３８．５ｃｍ以上である。その結果、うちわ収納ファイル１に、例えば、横幅が２９．５ｃｍ、縦幅が４２ｃｍ、うちわの柄７２の長さが１３．５ｃｍといった、大判のうちわ７を収納した際にも、ポケット部４０が背表紙３０に強固に固定される。
【００３４】
（３ｇ）表表紙１０、裏表紙２０、及び背表紙３０は、不透明な材料によって形成されている。その結果、うちわ収納ファイル１の中に終了されているうちわへの直射日光による影響を抑制することができる。例えば、うちわ収納ファイル１の中に収容されているうちわ７が日焼けによって色あせること等を抑制することができる。
【００３５】
［４．他の実施形態］
以上、本開示の実施形態について説明したが、本開示は上述の実施形態に限定されることなく、種々変形して実施することができる。
【００３６】
（４ａ）上記実施形態では、大判のうちわ７を収納可能にポケット部４０が形成され、大判のうちわ７におけるうちわの柄７２がうちわ収納ファイル１から突出しないように、背表紙３０における非固着部３２の長さがうちわの柄７２の長さ以上に定められていた。但し、これに限定されるものではない。
【００３７】
ポケット部４０の大きさ、すなわちポケット部４０の横幅Ｗ及び縦幅Ｈと、非固着部３２の長さとは、任意のサイズのうちわに合わせて、うちわ本体７１がポケット部４０に収納され且つうちわの柄７２がうちわ収納ファイル１から突出しないように、定められてもよい。つまり、うちわ収納ファイル１において、ポケット部４０の横幅Ｗ及び縦幅Ｈは任意のサイズのうちわ本体７１の横幅及び縦幅以上に定められ、非固着部３２の長さが該任意のサイズのうちわの柄７２の長さ以上に定められ得る。
【００３８】
なお、うちわ７は、うちわ本体７１の表面を保護するために、うちわ本体７１が透明の袋７３に収容されていることがある。ポケット部４０の大きさは、このような透明の袋７３を収容可能な大きさに形成され得る。
【００３９】
（４ｂ）上記実施形態では、うちわ収納ファイル１は複数のポケット部４０を備えていたが、これに限定されるものではない。うちわ収納ファイル１は、１つのポケット部４０を備えるように構成されていてもよい。例えば、うちわ収納ファイルにおいて、１つのうちわ７のみを収納可能な大きさに形成された袋状のポケット体４が背表紙３０に溶着固定されることによって、１つのポケット部４０が形成されていてもよい。
【００４０】
なお、うちわ収納ファイル１は、このような１つのうちわ７のみを収納可能な大きさに形成された複数の袋状のポケット体４が背表紙３０に溶着固定されることによって、複数のポケット部４０が形成されていてもよい。
【００４１】
（４ｃ）上記実施形態では、うちわ収納ファイル１は、透明のポケット部４０を備えていたが、これに限定されるものではない。例えば  うちわ収納ファイル１は、少なくとも１つの、不透明のポケット部を備えるように構成されていてもよい。
【００４２】
（４ｄ）上記実施形態では、うちわ収納ファイル１において、表表紙１０、裏表紙２０、及び背表紙３０は不透明のプラスチックシートによって形成されていたが、これに限定されるものではない。表表紙１０、裏表紙２０、及び背表紙３０は透明のプラスチックシートによって形成されていてもよい。
【００４３】
（４ｅ）上記実施形態では、連通孔４５は、ポケット部４０の下側縁部４２に長方形の切り欠きを設けるようにして形成されていたが、これに限定されるものではない。連通孔４５は、うちわの柄が通る程度の大きさであればよく、切り欠きの形状は、例えば、円、楕円、多角形等といった任意の形状であってよい。
【００４４】
（４ｆ）ポケット部４０は、透明のポリプロピレン製のフィルムシートを材料として、該材料によって袋状に形成されていた。但し、これに限定されるものではない。ポケット部４０は、透明のポリプロピレン製のフィルムシートよりも硬い、適当な硬度を有する、透明のプラスチックシートを材料として、該材料によって袋状に形成されていてもよい。
【００４５】
（４ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、実用新案登録請求の範囲に記載した文言から特定される技術思想に含まれるあらゆる態様が本開示の実施形態である。
【００４６】
なお、上記実施形態において、ポケット部４０が収納部に相当する。
【符号の説明】
【００４７】
１  うちわ収納ファイル、１０  表表紙  ２０  裏表紙、３０  背表紙、３１  固定部、３２  非固定部、３５  背表紙の内側、４０  ポケット部、４１  上側縁部、４２  下側縁部、４３  内側縁部、４４  外側縁部、４５  連通孔。
【図１】
0003216955.tif 000003
【図２】
0003216955.tif 000004
【図３】
0003216955.tif 000005